(57)【要約】      （修正有）【課題】ホワイトボード、マーカ及びイレーザを効果的に一体化した可搬形ホワイトボードシステムを提供する。【解決手段】外周面を具えるフレームに囲まれた少なくとも一の筆記可能面と、ハンドルと、ホワイトボード用マーカ保持部とを具える可搬形のホワイトボード筆記システムにおいて、前記囲まれた筆記可能面２２を保持するハンドル３０が、前記フレーム２０の外周面に連結してここから縦方向に突出するとともに、ホワイトボード用マーカ４０を取外し可能に保持する少なくとも１の手段５０を有するマーカ保持部を具えることを特徴とする可搬形のホワイトボード筆記システムである。【選択図】図１
0003149308.tif 000002
【実用新案登録請求の範囲】
【請求項１】
可搬形筆記システムにおいて：
少なくとも一の筆記可能面を具えるフレームと；
上端部及び下端部を具え、前記ハンドルの前記上端部が前記フレームに取付られているハンドルと；
前記ハンドルに取付けた少なくとも一のクリップであって、筆記具に対して取外し可能であるクリップと；
を具えることを特徴とする可搬形筆記システム。
【請求項２】
前記フレームの前記少なくとも一の筆記可能面が、第一筆記可能面及び第二筆記可能面を具えることを特徴とする請求項１に記載の可搬形筆記システム。
【請求項３】
前記第一筆記可能面及び前記第二筆記可能面が、滑らかなラミネートコーティングを具えることを特徴とする請求項２に記載の可搬形筆記システム。
【請求項４】
前記第一筆記可能面及び前記第二筆記可能面が、前記フレームの両側に位置することを特徴とする請求項２に記載の可搬形筆記システム。
【請求項５】
前記第一筆記可能面及び前記第二筆記可能面が、それぞれホワイトボード用筆記具による書込み拭き取り面を具えることを特徴とする請求項２に記載の可搬形筆記システム。
【請求項６】
前記筆記具がマーカハンドル及びペン先を具えることを特徴とする請求項１に記載の可搬形筆記システム。
【請求項７】
前記筆記具がキャップを具え、前記キャップを前記筆記具の前記ハンドルに取外し可能に取付け、前記キャップが前記ペン先を覆うことを特徴とする請求項６に記載の可搬形筆記システム。
【請求項８】
前記キャップがイレーザを具えることを特徴とする請求項７に記載の可搬形筆記システム。
【請求項９】
前記ハンドルが人間工学的に握り易い構造及び構成を具えることを特徴とする請求項１に記載の可搬形筆記システム。
【請求項１０】
前記ハンドルの前記少なくとも一のクリップが前記ハンドル中に延在することを特徴とする請求項１に記載の可搬形筆記システム。
【請求項１１】
前記少なくとも一のクリップが第一リブ及び第二リブを具え、前記筆記具が前記第一リブ及び前記第二リブの間に嵌ることを特徴とする請求項１に記載の可搬形筆記システム。
【請求項１２】
前記第一リブが第一係止部材を具え、前記第二リブが第二係止部材を具え、前記第一係止部材及び前記第二係止部材が前記ハンドルに対して、前記筆記具を固定することを特徴とする請求項１１に記載の可搬形筆記システム。
【請求項１３】
前記少なくとも一のクリップが第一クリップ及び第二クリップを具え、前記第一クリップが前記ハンドルの第一面に取付けられ、
前記第二クリップが前記第一クリップと同様に前記ハンドルの反対側に取付けられていることを特徴とする請求項１に記載の可搬形筆記システム。
【請求項１４】
前記筆記具がホワイトボード用マーカを具え、前記筆記可能面が前記ホワイトボード用マーカによる書き込みに適した材質を具えることを特徴とする請求項１に記載の可搬形筆記システム。
【請求項１５】
可搬形筆記システムにおいて：
筆記可能面を具えるフレームであって、前記筆記可能面が第一筆記可能面及び第二筆記可能面を具え、前記第一筆記可能面及び前記第二筆記可能面が、前記フレームの両側にあり、前記第一筆記可能面及び前記第二筆記可能面が、実質的に同様の構造及び構成を具えるフレームと；
ハンドルであって、前記ハンドルが上端部及び下端部を具え、前記ハンドルの前記上端部が前記フレームに取付けられており、前記ハンドルが握り易い構造と構成を具えるハンドルと；
一対のクリップであって、前記一対のクリップが、それぞれ第一リブ及び第二リブを具え、前記第一リブが第一係止部材を具え、前記第二リブが第二係止部材を具える一対のクリップと；
一対の筆記具であって、前記一対の筆記具が、それぞれマーカハンドル及びペン先を具え、前記マーカハンドルが前記ハンドルに対して固定されており、前記第一リブ及び前記第二リブの間を前記一組のクリップの前記第一係止部材及び第二係止部材を用いて固定した一対の筆記具と；を具え、
前記一対のクリップがそれぞれ前記ハンドルの両側に取付けられており；
前記一対の筆記具がそれぞれキャップを具え、前記キャップがイレーザを具え、前記キャップが前記マーカハンドルに連結可能であり、前記ペン先を覆っており；
前記一対の筆記具が前記一対のクリップ内で固定されているときに、互いに対して及び前記ハンドルに対して実質的に平行であることを特徴とする可搬形筆記システム。
【請求項１６】
前記第一筆記可能面及び前記第二筆記可能面が滑らかなラミネートコーティングを具えることを特徴とする請求項１５に記載の可搬形筆記システム。
【請求項１７】
前記第一筆記可能面及び前記第二筆記可能面が、ホワイトボード用書込み拭き取り面を具えることを特徴とする請求項１５に記載の可搬形筆記システム。
【請求項１８】
前記一対のクリップの前記第一リブと前記第二リブが、前記第一リブと前記第二リブの最も内側部分が前記フレームの前記筆記可能面と同じ縦線に沿って横たわっている深さで、前記ハンドル内に突出していることを特徴とする請求項１５に記載の可搬形筆記システム。
【請求項１９】
前記一対の筆記具がホワイトボード用マーカを具えることを特徴とする請求項１５に記載の可搬形筆記システム。
【請求項２０】
可搬形筆記システムを使用する方法において：
少なくとも一の筆記可能面を具えるフレームを使用するステップと；
前記フレームに取付けたハンドルを使用するステップと；
前記ハンドルに筆記可能具を取外し可能に保持する手段を使用するステップとを具えることを特徴とする可搬形筆記システム。
【考案の詳細な説明】
【技術分野】
【０００１】
アメリカ合衆国民、Ｊｕｌｉａ  Ｍ．Ｒｈｏｄｅｓは新規かつ有用な可搬形ホワイトボードシステムを以下の明細書の通り発明した。
【０００２】
関連する出願の参照
本考案は、米国法典第３５編１１９（ｅ）条に基き、２００５年９月２６日出願の米国暫定特許出願第６０／７２０，６３４号の優先権の利益、及び米国法典第３５編１２０条に基き、２００６年９月２５日出願の米国特許出願第１１／５３４，７０１号の優先権の利益を主張する。米国暫定特許出願第６０／７２０，６３４号、及び米国特許出願第１１／５３４，７０１号は現在継続中である。本考案は、米国特許出願第１１／５３４，７０１号の係属出願である。上記出願の内容は、参照することにより本考案に組み込まれる。
【０００３】
連邦政府による資金提供を受けた研究開発の記載
本出願に適用なし。
【背景技術】
【０００４】
本考案は一般的に補助教材に関するものであり、更に特定すると、ホワイトボード、マーカ及びイレーザを一つのパッケージに効果的に一体化した可搬形ホワイトボードシステムに関する。
【０００５】
関連技術
明細書中の従来技術に関するいかなる記述も、このような従来技術が広く知られ、又はその本考案の属するの分野において、共通の一般的な知識の一部を作り出していると認めるものではない。
【０００６】
補助教材は長年使用されている。一般的に、補助教材にはフラッシュカード、小さな黒板や小さなホワイトボード等が含まれる。フラッシュカードの使用時、生徒又は教師はフラッシュカードの一側面に書いた問題を読み上げ、答えがわかると、解答を読むためにフラッシュカードを反転させる。持ち運び可能の黒板及びホワイトボードは通常、チョーク又はホワイトボード用マーカ及び取外し可能のイレーザ付の板を具える。生徒又は教師はボードの一側面に問題を書き込んだ後、それを消してもよく、又は、ボードが二側面を有していれば、解答を書き込んだ面にボードを反転させてもよい（解答があらかじめ反対面に記載されている場合）。
【０００７】
フラッシュカードの欠点は、通常、修正が不可能であり、一般的に上書することができないことである。このことは、フラッシュカードでは十分に所定の問題に対して解答を記述することができないため、生徒の学習能力を妨げる。携帯用の黒板は、チョークの粉や細片がいたるところに飛び散るなどの問題がある。黒板はまた遠方から（例えば、教室の後部から）は読み難い。従来の携帯用のホワイトボードの問題は、隔板、マーカ、及びイレーザを同時に持ち運ぶことが難しいことである。
【０００８】
これらの装置は取り組んでいる特定の目的に適する一方、ホワイトボード、マーカとイレーザを効果的に一つのパッケージに一体化することに適していない。従来の黒板及びホワイトボードには、隔板、マーカ又はチョーク及びイレーザを一度に持ち運ぶことが厄介であるという大きな問題がある。
【０００９】
これらの点において、本発明の可搬形ホワイトボードシステムは、従来のコンセプト及び従来技術のデザインから実質的にかけ離れており、このことにより、ホワイトボード、マーカとイレーザを一つのパッケージに効果的に一体化することを目的に主として開発した器具を提供する。
【００１０】
本発明は、フレーム、ハンドル及びクリップを具える可搬形ホワイトボードに関する。少なくとも一の筆記面、及び任意に、第一の筆記面の反対側にある第二の筆記面もまたフレーム内に位置してよい。このシステムは、一方の端部にフレームに取付けるハンドルを具える。クリップがハンドルに取付けられており、筆記具をハンドルから取外し可能に保持している。
【００１１】
一の実施例において、このシステムの筆記面は、ホワイトボード用マーカで書き込むのに適した滑らかなラミネート仕上げがなされている。従って、この面は筆記による書込みを拭き取ることが可能である。このようなマーカは、マーカハンドル及びペン先、好ましくはマーカに取付けた取外し可能のキャップを具え、使用しない時は、キャップによりペン先を覆う。ホワイトボード用マーカは、このシステムの筆記面に書かれたものを消すのに適するイレーザをさらに具える。このイレーザはキャップ、又はペン先の遠位にあるマーカ端部に取付けてもよい。
【００１２】
本考案のシステムのハンドルは、使用者が心地よく握れ、特定サイズ及び人間工学的に握り易い構造と形状に設計されている。特定の実施例においては、ハンドルは、第一クリップを具える側の反対側に第二クリップを具える。このように、ハンドルは第一筆記具と同時に第二筆記具を支持することができる。クリップは、使用しない時に筆記具を保管する第一及び第二リブを具える。両リブは、使用者がハンドルを握る時にクリップが邪魔にならないようにハンドル面の下に位置する。各リブは、筆記具の直径より若干短い距離に第一及び第二係止部を具える。使用しない時は器具をハンドルに取付けた状態で保持するために、両係止部により筆記具を両リブ間で取外し可能になるように係止する。
【００１３】
上記の及び関連する目的を達成するために、本発明を添付の図面により具体化する。しかしながら、図面は例示に過ぎず、添付の請求項の範囲内で、例示し、記述した特定の構成を変更することができる。
【００１４】
Ａ．概要
図面を参照して説明する。なお、いくつかの図を通して同じ符号が同じ要素を示す。図１乃至５は、可搬形ホワイトボードシステム１０を示す図であり、これは筆記可能な面が付いたフレーム２０、ハンドル３０を具える。ハンドル３０は上端部３２及び下端部３４を具え、ハンドル３０の上端部３２はフレーム２０及びクリップ５０に取付けられており、このクリップ５０はハンドル３０に取付けられて、クリップ５０はマーカユニット４０を固定している。
【００１５】
Ｂ．フレーム
フレーム２０は図１乃至４に示すように好ましくは円形構造及び形状を具える。しかしながら、フレーム２０は、この好ましい実施例よりむしろ、限定するものではないが、例えば正方形、長方形や三角形といった多種の形状を具えていてもよい。フレーム２０は好ましくは硬質材（例えば、木材、メイソナイト、プラスチック等）でできており、筆記面の支持用に適している。
【００１６】
この筆記可能な面は好ましくは第一面２２及び第二面２４を具え、第一面２２及び第二２４は好ましくは、図３及び４に示すようにフレーム２０の両側にある。第一面２２及び第二面２４は好ましくは、ほぼ同じ構成である。第一面２２及び第二面２４は好ましくは円形構造及び構成である。第一面２２及び第二面２４のサイズ及び形状が同様であることが好ましいが、直径がフレーム２０の円形状より若干短い。
【００１７】
第一面２２及び第二面２４は図３及び４に示すように、滑らかなラミネートコーティング（例えば、磁器、エポキシ樹脂フィルム、紫外線硬化塗膜、ニス等）又は、ホワイトボードマーカを用いて書いたり、イレーザを用いて消すことができる何らかのコーティングを具える。第一面２２及び第二面２４に使用するこのコーティングは、実質的に同じであることが好ましい。第一面２２及び第二面２４は又、表示（例えば、バスケットボールコート、フットボールプレーヤのラインアップ等）の形の事前印刷したアウトラインを有してもよい。
【００１８】
Ｃ．ハンドル
図１乃至５に示すように、ハンドル３０は、好ましくは、使用者が握り易い材質（例えば、高密度発泡体、プラスチック、ゴム等）を具える。ハンドル３０は、好ましくは、フレーム２０と一体型構造である。しかしながら、ハンドル３０は、フレーム２０から分離した構造であってもよい。ハンドル３０は又、好ましくは人間工学的に握り易いデザイン構造と構成を具える。
【００１９】
図１乃至３に示すように、ハンドル３０は、好ましくは、第一面２２と同様に、可搬形ホワイトボードシステム１０と同じ側にクリップ５０を具え、このクリップ５０がマーカユニット４０を固定保持している。図３乃至５に示すように、ハンドル３０は、使用者が二つのマーカ４０を可搬形ホワイトボードシステム１０に固定できるようにハンドル３０の両側にクリップ５０を具えるように形成することが好ましい。
【００２０】
クリップ５０は好ましくは第一リブ５２及び第二リブ５４を具える。第一リブ５２及び第二リブ５４は、好ましくは実質的に同じ構造及び構成である。図１乃至５に示すように、第一リブ５２及び第二リブ５４は、好ましくはハンドル３０内へ延在するチャネル構造を具え、ハンドル３０を握る邪魔にならないようにする。クリップ５０のハンドル３０の外側面から最も下にある部分は、図５に示すように、第一面２２の端部の同一平面上にあることが好ましい。この方法により、可搬形ホワイトボードシステム１０をテーブル又はデスクのような水平面に置いたときに、マーカユニット４０が、クリップ５０内で水平位に位置することになる。
【００２１】
第一リブ５２は好ましくは第一係止部材５３を具え、第二リブ５４は好ましくは第二係止部材５５を具える。第一係止部材５３及び第二係止部材５５は好ましくはクリップ５０の上でハンドル３０の上部端３２に向かって位置する。第一係止部材５３及び第二係止部材５５は、互いに向かって延在しており、これら両部材間の幅は、ハンドル３０の下端部３６近くの第一リブ５２と第二リブ５４間の幅より若干狭い幅となる。これは、図１に示すように、マーカハンドル４２がクリップ５０の中にあるときに、マーカユニット４０を固定する場所を提供する。
【００２２】
Ｄ．マーカユニット
マーカユニット４０はホワイトボードマーカの好ましい構造及び構成である。マーカユニット４０は、図２に示すように、ペン先４４及びマーカハンドル４２を具える。ペン先４４を用いて第一面２２及び第二面２４上に書き込みを行う。マーカユニット４０はまた、好ましくはキャップ４６を具え、このキャップ４６はマーカハンドル４２に連結しており、ペン先４４を外側要素より覆う。マーカユニット４０は、ホワイトボードマーカよりも、限定するものではないが、むしろチョークや鉛筆のような構成であることが好ましい。
【００２３】
キャップ４６はまた、図１、２及び５に示すようにイレーザ４８を具えることが好ましい。イレーザ４８は、好ましくは、マーカハンドル４２から最も離れた位置にあるキャップ４６の上部に位置する。イレーザ４８は、好ましくはペン先４４で第一面２２及び第二面２４に書いたものを消すための構造及び構成を有する。イレーザ４８は、好ましくは標準的なホワイトボード用イレーザの構成を具える。しかしながら、イレーザ４８が、この好ましい実施例以外の、限定するものではないが、黒板拭きの構成や又は消しゴムの構成など様々に構成することができる。
【００２４】
Ｅ．本考案の作用
教師又は生徒は、先ず、マーカユニット４０を手で覆わないように、ハンドル３０を握る。次ぎにマーカユニット４０を、クリップ５０の第一係止部材５３及び第二係止部材５５から取り外す。キャップ４６は、マーカユニット４０から取外した後、マーカハンドル４２から外す。そして、教師はマーカハンドル４２を強く握り、図３に示すように、ペン先４４で第一面２２上に質問（例えば、３＋１）を書き込むことができる。教師は又、この時に、図４に示すように第二面２４上に所定の質問に対する適当な解答（例えば、３＋１＝４）を書き込むことができる。
【００２５】
教師がキャップ４６をマーカハンドル４２に戻し、次いで、マーカハンドル４２をクリップ５０の第一係止部材５３及び第二係止部材５５へ戻す。教師は可搬形ホワイトボードシステム１０を生徒が見えるように持ち上げてもよい。これは、クラスが可搬形ホワイトボードシステム１０の第一面２２だけを見られるようにするために行う。
【００２６】
クラスの一人又は全クラスの生徒が質問に対する解答を推測すると、教師は、可搬形ホワイトボードシステム１０を回して第二面２４に書き込んだ質問に対する解答を見せる。教師はマーカユニット４０をクリップ５０の第一係止部材５３及び第二係止部材５５から外し、イレーザ４８を用いて第一面２２及び第二面２４に書いた文字を消すことができる。イレーザ４８で、第一面２２及び第二面２４上の筆記を消して、教師が次の問題を生徒に出せるようにする。このクラスの各生徒が可搬形ホワイトボードシステム１０を用いて、教師が出す問題に対して個々に解答をするようにしてもよい。新しい問題を書き込むためには、上記プロセスが単純に繰り返される。
【００２７】
ここに記述し例示したことは、いくつかのバリエーションを伴う本発明の好ましい実施例である。ここに使用した用語、記述そして図面は例示によるものでしかなく、限定を意味するものではない。当業者は、本発明の精神及び範囲内で多くの変形が可能であることを認識し、以下の請求項（及びその均等物）によって規定される。全用語が特に記載がない限り、最も広い意味を持つ。記載中の見出しは、いずれも便宜上のものでしかなく、法的または限定的な効果は有さない。
【図面の簡単な説明】
【００２８】
本考案のさまざまな他の目的、特性及び付随する利点は、添付は図面と共に考慮すると、完全に明らかになり、より良く理解される、図中、同じ又は同様の部分には同じ符号を付している。
【図１】図１は本考案の上部斜視図である。
【図２】図２は本考案の分解斜視図である。
【図３】図３は本考案の、問題を書き込んだ第一面を示す正面図である。
【図４】図４は本考案の、解答を書き込んだ第二面を背部から見た図である。
【図５】図５は本考案の、ハンドルに取付けたマーカを側部からみた図である。
【図１】
0003149308.tif 000003
【図２】
0003149308.tif 000004
【図３】
0003149308.tif 000005
【図４】
0003149308.tif 000006
【図５】
0003149308.tif 000007
【手続補正書】
【提出日】平成21年1月14日(2009.1.14)
【手続補正１】
【補正対象書類名】実用新案登録請求の範囲
【補正対象項目名】全文
【補正方法】変更
【補正の内容】
【実用新案登録請求の範囲】
【請求項１】
外周面を具えるフレームに囲まれた少なくとも一の筆記可能面と、ハンドルと、ホワイトボード用マーカ保持部とを具える可搬形のホワイトボード筆記システムにおいて、前記囲まれた筆記可能面（２２）を保持するハンドル（３０）が、前記フレーム（２０）の外周面に連結してここから縦方向に突出するとともに、ホワイトボード用マーカ（４０）を取外し可能に保持する少なくとも１の手段（５０）を有するマーカ保持部を具えることを特徴とする可搬形のホワイトボード筆記システム。
【請求項２】
請求項１に記載の筆記システムにおいて、第二筆記可能面（２４）が、第一筆記可能面の裏側に配置されていることを特徴とする筆記システム。
【請求項３】
請求項２に記載の筆記システムにおいて、前記第一筆記可能面及び前記第二筆記可能面が、滑らかなラミネートコーティングを具えることを特徴とする筆記システム。
【請求項４】
請求項３に記載の筆記システムにおいて、前記第一筆記可能面及び前記第二筆記可能面が、それぞれホワイトボード用筆記具による書込み拭き取り面を具えることを特徴とする筆記システム。
【請求項５】
請求項１乃至４のいずれか１項に記載の筆記システムにおいて、前記ハンドル（３０）が人間工学的に握り易い構造及び構成を具えることを特徴とする筆記システム。
【請求項６】
請求項１乃至５のいずれか１項に記載の筆記システムにおいて、前記マーカを保持する手段が少なくとも１のクリップ（５０）を具えることを特徴とする筆記システム。
【請求項７】
請求項６に記載の筆記システムにおいて、前記少なくとも１のクリップ（５０）が前記ハンドル（３０）中に延在することを特徴とする筆記システム。
【請求項８】
請求項７に記載の筆記システムにおいて、前記少なくとも一のクリップ（５０）が第一リブ（５２）及び第二リブ（５４）を具え、前記ホワイトボード用マーカ（４０）が前記第一リブ及び前記第二リブの間に嵌ることを特徴とする筆記システム。
【請求項９】
請求項８に記載の筆記システムにおいて、前記第一リブが第一係止部材（５３）を具え、前記第二リブが第二係止部材（５５）を具え、これによって、前記ハンドル（３０）に対してホワイトボード用マーカを固定できることを特徴とする筆記システム。
【請求項１０】
請求項１乃至９のいずれか１項に記載の筆記システムがさらに、ホワイトボード用マーカ（４０）を具えることを特徴とする筆記システム。
【請求項１１】
請求項１０に記載の筆記システムにおいて、前記マーカがマーカハンドル（４２）及びペン先（４４）を具えることを特徴とする筆記システム。
【請求項１２】
請求項１１に記載の筆記システムにおいて、前記マーカがキャップ（４６）を具え、これが前記マーカ（４０）の前記ハンドル（４２）に取外し可能に取付けられ、前記ペン先（４４）を覆うことを特徴とする筆記システム。
【請求項１３】
請求項１２に記載の筆記システムにおいて、前記キャップ（４６）がイレーザ（４８）を具えることを特徴とする筆記システム。
【請求項１４】
請求項１乃至１３のいずれか１項に記載の筆記システムにおいて、前記ハンドル（３０）が前記フレーム（２０）と一体的に形成されていることを特徴とする筆記システム。